(57)【特許請求の範囲】
【請求項１】
鋼製杭を相互に連結した垂直な壁面の干満飛沫帯に形成した防食帯であって、該防食帯は該垂直な壁面に形成した所定の厚さの水中不分離性コンクリート層と該水中不分離性コンクリート層の外面を覆うチタン薄板製の保護板よりなり、該チタン薄板製の保護板は鋼製杭の連結部以外の部分に対面して配される外周板と連結部に対面して配される連接板とを交互に接続して形成され、各外周板は左右の端部に鋼製杭側と逆方向に５〜５０ｍｍ幅の折り返しが形成された板状で、各連接板はウエブの左右にウエブとの内角が９０°以上のフランジを有する溝型状で両フランジの側端には鋼管杭側と逆方向に５〜５０ｍｍ幅の折り返しが形成されかつウエブには複数のボルト嵌通孔が形成された薄板製で、外周板と連接板との接続はそれぞれの折り返しを互いに突き合せ、別途作成した横断面がＣ字状のチタン薄板製のサヤ管を用いて外周板の折り返しの折り曲げ部と連接板の折り返しの折り曲げ部をＣ字状の内部に一緒に嵌入する接続であり、保護板の全体は一端が鋼製杭の爪に接合され他端が水中不分離性コンクリート層から突出したボルトの他端に連接板のボルト嵌通孔を嵌通しナット締めして鋼製杭に保持されていることを特徴とする、海洋鋼構造物の壁面の防食帯。
【請求項２】
外周板が、鋼製杭側の表面に、コンクリート層の厚さと同じ突出長さの、チタン製のアンカー金具が接合されている事を特徴とする、請求項１に記載の、海洋鋼構造物の壁面の防食帯。
【請求項３】
外周板が、鋼製杭に面する側の表面に、コンクリート層の厚さよりも短い突出長さの、チタン製のアンカー金具が接合されている事を特徴とする、請求項１に記載の、海洋鋼構造物の壁面の防食帯。
【発明の詳細な説明】
【０００１】
【発明の属する技術分野】
海洋構造物の例えば基礎は、鋼矢板、鋼管矢板等の鋼製杭を、相互に連結し、海底に打ち込み、垂直な壁面に形成されている。本発明はこの壁面の干満飛沫帯に形成する防食帯に関する。
【０００２】
【従来の技術】
海洋構造物の鋼製杭の干満飛沫帯は海水による腐食が大きい。この腐食を防止低減するために、鋼製杭は例えばコンクリートで被覆する。従来は下記イ．及びロ．のコンクリート被覆が知られていた。即ちイ）型枠を用いて鋼製杭と型枠の間にコンクリートを打設し、以後型枠を取り外す方法。ロ）ＦＲＰ製等の型枠を用いて鋼製杭と型枠の間にコンクリートを打設し、以後ＦＲＰ製等の型枠は取り外さないで埋め殺しとして用いる方法。
【０００３】
しかしながら、イ）はコンクリートが海水に直接接触しているために、海水によるセメント分の流出があり、またコンクリートの亀裂に海水が直接流入して鋼製杭を腐食させるという問題点がある。またロ）のＦＲＰの型枠は紫外線により脆化するため、長期間使用すると浮遊物の衝突等によって型枠が破壊されるという問題点がある。
【０００４】
鋼管杭を連結した壁面の防食帯ではないが、実公昭５６−９７０２号公報、特開平７−１６６５６８号公報には、単一の鋼管に施す防食帯が記載されている。図４はその例である。即ち、単一の鋼管２０の外周に防食材含浸テープ２１等を巻きつけ、防食材含浸テープ２１の外周に耐食金属カバー２２を施し、耐食金属カバー２２は埋め殺しのままで使用する。この際耐食金属カバー２２が密設して防食材含浸テープ２１の外面に配されていると鋼管の好ましい防食帯となる。
【０００５】
この単一の鋼管の防食帯においては、耐食金属カバー２２は、耐食金属の板を、防食材含浸テープ２１の外周を一周させて両端を止めつける事により、防食材含浸テープ２１の外面に配する事ができる。しかし防食帯を施す面が壁面の場合は、後で詳述する如く、壁面は爪部で相互に連結せしめた多数の鋼製杭で形成されている。即ちこの際は爪部で相互に連結されているため、耐食金属の板は、図４のように個々の鋼製杭の外周を一周させることができない。
【０００６】
【発明が解決しようとする課題】
チタンは干満飛沫帯において耐食性に優れている。また紫外線により脆化する事もない。従ってコンクリートの外面に埋め殺し型枠としてチタンを配する事ができると、長期間に亘って、コンクリートを保護し、この結果内部の鋼製杭を腐食から保護する事ができる。しかしチタンは高価であるために、厚肉のチタン型枠は経済的ではない。
本発明は、チタン薄板を埋込みし型枠として、コンクリートの外面に密着して配した、海洋構造物の壁面の防食帯の提供を課題としている。
【０００７】
【課題を解決するための手段】
図１は本発明の防食帯の説明図で、（Ａ）は横断面説明図、（Ｂ）は構造の斜視説明図、（Ｃ）は部材の説明図である。本発明は鋼製杭を相互に連結した海洋構造物の垂直な壁面の干満飛沫帯に形成した防食帯である。鋼製杭１−１と１−２は雄爪２と雌爪３を組み合わせて連結し、それぞれの下端を海底に打ち込んで垂直な壁面を形成する。鋼製杭はその干満飛沫帯が腐食され易い。本発明はこの干満飛沫帯の腐食を防止低減するための防食帯である。
【０００８】
本発明の防食帯は、この垂直な壁面に配した所定の厚さの水中不分離性コンクリート層４と、この水中不分離性コンクリート層４の外面を覆うチタン薄板製の保護板５で形成されている。またチタン薄板製の保護板５は、鋼製杭の連結部以外の部分に対面して配される外周板６と、鋼製杭の連結部に対面して配される連接板７を交互に接続して形成されている。
【０００９】
外周板６は左右の端部に鋼製側と逆向きの５〜５０ｍｍ幅の折り返し８が形成された板状である。また連接板７はウエブ９の左右にウエブ９との内角θが９０°以上のフランジ１０，１０’を有する溝型状で、両フランジ１０，１０’の側端には鋼管杭１−１，１−２側と逆向きの５〜５０ｍｍ幅の折り返し１１，  １１’が形成され、ウエブ９には複数のボルト嵌通１２が形成されたチタン薄板製である。
【００１０】
チタン薄板製の保護板５は外周板６と連接板７を接続する事により形成されるが、この接続は、外周板の折り返し８と連接板の折り返し１１を突き合せ、別途作成した横断面がＣ字状のチタン製のサヤ管１３を用いて、外周板６の折り返しの折り曲げ部８と連接板７の折り返しの折り曲げ部１１をＣ字状のサヤ管１３の内部に一緒に嵌入れる事により接続する。
【００１１】
なお保護板５の全体は、一端が鋼製杭例えば１−２の爪３に接合され他端が水中不分離性コンクリート層４から突出するボルト１４の他端に接合板７のボルト嵌通孔を嵌通しナット１５を締めて、鋼製杭に保持する。
【００１２】
【発明の実施の形態】
本発明の防食帯は、雄爪２と雌爪３で相互に連結せしめた多数の鋼製杭１（１−１，１−２，…）で形成された海洋構造物の干満飛沫帯の壁面に、水中不分離性コンクリートの厚さに相当する間隔を隔てて、外周板６、連接板７をサヤ管１３で接続したチタン薄板製の保護板５をボルト１４とナット１５により固定して配し、保護板５と鋼製杭１（１−１，１−２，…）の間に水中不分離性コンクリートを打設する。水中不分離性コンクリートを打設後は、必要に応じてナット１５をしめてチタン薄板製の保護板５をコンクリートに更に密着させ、以後、チタン薄板製の保護板５は、埋め殺し型枠にする。
【００１３】
本発明のチタン薄板製の保護板５は、板厚が１ｍｍ以下の薄板であるが、チタンの干満飛沫帯において優れた耐食性を有し、従って長期間に亘って損耗する事がない。更に、チタン薄板製の保護板５はコンクリートに密着して配されているために、長期間に亘ってコンクリートを保護し、内部の鋼製杭を腐食から保護する。
【００１４】
鋼製杭は爪２及び３によって相互に連結されているため、海洋構造物の壁面の防食に際しては、爪が支障となってチタン薄板を個々の鋼製杭の外面に沿って一周させる事ができないが、本発明によると、鋼製杭の外面に所望の均一な厚さのコンクリート層を形成し、その外面に、チタン薄板製の保護板を密着させて配する事ができる。
【００１５】
なお本発明では、外周板６と連接板７は、サヤ管１３を用いて接続するが、現場施工に際してこの接続は簡易である。従って本発明の防食帯は海洋構造物の壁面に容易に形成する事ができる。なおボルト１４やナット１５が鋼製の場合は、例えば公知の速乾性のセメントあるいは有機高分子化合物を充填したキャップを連接板７から突出している部分に被せる事により、その腐食を防止する。
【００１６】
本発明において、鋼製杭１（１−１，１−２，…）の腐食を防止するためには、水中不分離性コンクリート層４とチタン製保護板５との間に大きな隙間を発生させないで、密着させておく事が好ましい。図２は、この密着が更に優れている本発明の防食帯の説明図で、（Ａ）は構造を説明する斜視図、（Ｂ）は模式横断面図、（Ｃ−１），（Ｃ−２）図は図２（Ｂ）のイ−イ断面図である。即ち図２は、外周板６が、鋼管杭１側の表面に、コンクリート層４の厚さと同じ突出長さのチタン製のアンカー金具１６が接合されている事を特徴とする、前記本発明の防食帯である。
【００１７】
このチタン製のアンカー金具１６は、図２（Ｂ）の如く、予め外周板６に例えば溶接１８によって接合しておく。このアンカー金具１６を用いると、アンカー金具１６のフランジ１９はコンクリートに固定され、このためアンカー金具１６は、外周板６がコンクリートから離れないように、外周板を把持する。図２のアンカー金具１６はまたコンクリート層４の厚さと同じ突出長さであるために、鋼製杭１（１−１，１−２，…）と外周板６の間隔を正確に保ち、コンクリート層４の厚さを均一化するためのスペーサーとしての作用を併せ有する。
【００１８】
尚アンカー金具１６には、図２Ｃ−１の如く開孔部１７−１，１７−２，１７−３を配する事が好ましい。あるいは図２Ｃ−２の如く、全長には配さないで、１６−１，１６−２，１６−３の如く間欠的に配する事が好ましい。コンクリートの打設に際してコンクリートは、図２（Ｂ）のＰ方向にあるいはＱ方向に流動する。この際アンカー金具１６に開孔部１７−１，１７−２，１７−３を配しておくと、あるいはアンカー金具１６を１６−１，１６−２，１６−３のように間欠的に配しておくと、コンクリートの打設に際してコンクリートの流動は妨げられる事なく、開孔部や欠落部を通過してＰ方向にあるいはＱ方向に自由に流れ、均一に充填される。
【００１９】
図３は、水中不分離性コンクリート層４とチタン製保護板５を密着させておく、本発明の他の例の説明図である。即ち外周板６が、鋼製杭に面する側の表面に、コンクリート層４の厚さよりも短い突出長さのチタン製のアンカー金具１６’が接合されている防食帯である。この際のアンカー金具１６’も、図２の場合と同様に予め外周板６に溶接等によって接合しておく。このアンカー金具１６’では、アンカー金具１６’のフランジ１９’はコンクリート４中に埋設されて固定され、従って、アンカー金具１６’は外周板６がコンクリート層４から離れないように、外周板６を把持している。
【００２０】
【発明の効果】
本発明の防食帯は、長期間に亘ってコンクリートを保護し、コンクリートの内部の鋼製杭を腐食から保護する事ができる。本発明ではチタンを用いるが、薄板であるために使用量は少なく大きなコストアップにはならない。本発明の防食帯は、現場施工が容易であり、従って海洋構造物の広い壁面にも形成する事ができる。
【図面の簡単な説明】
【図１】は本発明の防食帯の説明図。
【図２】はコンクリート層とチタン製保護板の密着性が優れた本発明の防食帯の例の説明図。
【図３】はコンクリート層とチタン製保護板の密着性が優れた本発明の防食帯の他の例の説明図。
【図４】は単一の鋼管に施した従来の防食帯の例の説明図。
【符号の説明】
１（１−１，１−２）：鋼製杭、  ２：雄爪、  ３：雌爪、  ４：水中不分離性コンクリート層、  ５：チタン薄板製の保護板、  ６：外周板、  ７：連接板、  ８：外周板の折り返し、  ９：連接板のウエブ、  １０：連接板のフランジ、  １１：連接板の折り返し、  １２：ボルト嵌通孔、  １３：サヤ管、  １４：ボルト、  １５：ナット、  １６（１６−１，１６−２，１６−３）：チタン製のアンカー金具、  １６’：チタン製のアンカー金具、  １７（１７−１，１７−２，１７−３）：開孔部、  １８：溶接、  １９：チタン製アンカー金具のフランジ、  １９’：チタン製のアンカー金具のフランジ、  ２０：単一の鋼管、  ２１：防食剤含浸テープ、  ２２：耐食金属カバー。
【図１】
0004014299.tif 000002
【図２】
0004014299.tif 000003
【図３】
0004014299.tif 000004
【図４】
0004014299.tif 000005